【事件の表示】
　平成　５年特許願第２７９６６５号「インク噴射装置の駆動方法および駆動装置」拒絶査定不服審判事件〔平成　７年　５月２３日出願公開、特開平　７−１３２５９０〕について、次のとおり審決する。
【結　論】
　本件審判の請求は、成り立たない。
【理　由】
第１　手続の経緯
　本願は、平成５年１１月９日の出願であって（以下、平成５年１１月９日を「本願出願日」という。）、その出願からの主だった経緯を箇条書きにすると以下のとおりである。
・平成　５年１１月　９日　　　本願出願
・平成１２年１１月３０日付け　原審にて拒絶理由の通知
・平成１３年　２月　２日付け　意見書・手続補正書の提出
・平成１３年１０月２９日付け　原審にて拒絶査定の通知
・平成１３年１１月３０日付け　本件審判請求及び明細書に係る手続補正書の提出
　
第２　本願発明の認定
　本願の請求項１に係る発明（以下、「本願発明」という。）は、前記平成１３年１１月３０日付け手続補正書により補正された特許請求の範囲の請求項１に記載された次のとおりのものと認める。
　「分極された圧電素子で少なくとも一部が形成された複数の隔壁と、それら隔壁によって仕切られた複数のインク室と、前記隔壁の両側に設けられ、電圧が印加されてその隔壁を変形させる電界を発生させる第１電極および第２電極と、前記電極に電圧を印加するための駆動電源とを含むインク噴射装置の駆動方法であって、前記駆動電源から前記インク室の両側の隔壁の前記第１電極に、前記インク室の容積が自然状態から増大状態に変化させられる方向の電圧を印加して、その両側の隔壁を互いに反対方向に変形させ、前記インク室内に圧力波を発生させる第一ステップと、前記圧力波が前記インク室のインク供給口とインク吐出口との間を片道伝播する時間の０．５〜１．５倍の時間が経過した時、前記第１電極への駆動電源からの電圧の印加を停止して、前記隔壁を変形状態から復帰させて前記インク室の容積を増大状態から自然状態に変化させる第二ステップと、前記第二ステップとほぼ連続して、前記インク室の両側の隔壁の第２電極に、前記第一ステップで第１電極に印加した電圧と同じ極性で、前記インク室の容積が自然状態から減少状態に変化させられる方向の電圧を前記駆動電源から印加し、前記両隔壁を前記第一ステップとは反対向きに変形させて前記インク室内に発生させた圧力と前記圧力波とを加算させる第三ステップと、前記圧力波が前記片道伝播する時間の２〜２．２５倍の時間が経過した時、前記第三ステップでの前記第２電極への駆動電源からの電圧の印加を停止して、前記隔壁を復帰させて前記インク室の容積を減少状態から自然状態に変化させて前記インク室内に発生させた圧力で前記圧力波を打ち消す第四ステップとを含むことを特徴とするインク噴射装置の駆動方法。」
　
第３　当審の判断
１．引用刊行物の記載事項
　これに対して、原審の拒絶理由で引用した、本願出願日前である平成４年１２月２２日に頒布された特開昭４−３６９５４２号公報には、次の事項が記載されている。
（１）「【請求項１】　一端にインク吐出口を有してインク供給部に接続された複数の圧力室を設け、これらの圧力室に対をなす電極が固定された電歪部材を設けたインクジェットプリンタヘッドにおいて、対をなす一方の前記電極に電圧を徐々に高めながら一方の極性の第一の電圧パルスを一定時間印加することにより前記電歪部材を歪ませて特定の圧力室の容積を増大させた後に前記第一の電圧パルスを瞬時に遮断し、この第一の電圧パルスの遮断時に対をなす他方の前記電極に一方の極性の第二の電圧パルスを一定時間印加することにより前記電歪部材を逆方向歪ませて特定の前記圧力室の容積を縮小させた後に前記第二の電圧パルスを瞬時に遮断するようにしたことを特徴とするインクジェットプリンタヘッドの駆動方法。」（【特許請求の範囲】参照。）
（２）「【実施例】本発明の一実施例を図１ないし図３に基づいて説明する。まず、インクジェットプリンタヘッドの構造について説明する。図１に示すように、例えば、ポリカーボネート系の合成樹脂等のように、非導電性及び非誘電性であり、さらに、メッキ処理や機械加工が可能で剛性の低い材料により形成された基板１の一面には電歪部材２が接合されている。この電歪部材２は圧電セラミックからなるピエゾ素子であり、板厚方向（矢印方向）に分極されている。これらの基板１と電歪部材２とには複数の圧力室３と複数の側壁４とが交互に配列されて形成され、個々の圧力室３の両側（側壁４）には断面がコの字形の電極５が形成されている。これらの電極５は、基板１と電歪部材２とにメッキ前の前処理を施し、さらに触媒層を形成した後に無電解ニッケルメッキ又は無電解銅メッキ或いは無電解金メッキを施し、電歪部材２の表面に形成されたメッキ層を除去することにより形成される。さらに、電歪部材２の表面には天板６が接着されている。そして、基板１と電歪部材２との両端に端板７を固定することによりインクジェットプリンタヘッドが形成されている。なお、一方の端板７には圧力室３の一端に位置する複数のインク吐出口８が形成され、圧力室３の他端はインク供給部（図示せず）に接続される。」（【０００９】参照。）
（３）「次に、図１に基づいて駆動回路を示す。インクを飛翔させる圧力室３は常に変化するが、ここではインクを飛翔させるべく選択された圧力室３を中央に位置させて説明する。インクを飛翔させる圧力室３の電極５には、トランジスタＱ１をＬ、トランジスタＱ２をＨにすることによりＶ１なる電圧が印加され、また、トランジスタＱ１をＬ、トランジスタＱ３をＨにすることによりＶ２なる電圧が印加される。インクを吐出させるために選択された圧力室３を仕切る側壁４を間にして対向する他方の電極５には、トランジスタＱ１’をＬ、トランジスタＱ２’をＨにすることによりＶ１なる電圧が印加され、また、トランジスタＱ１’をＬ、トランジスタＱ３’をＨにすることによりＶ２なる電圧が印加される。」（【００１０】参照。）
（４）「次に、図２のタイミングチャートを参照してインクジェットプリンタヘッドの駆動方法について説明する。ここでは、図１における中央の圧力室３からインクを吐出させる場合について述べる。図２のタイミングチャートにおいて、インクを吐出させるために選択された中央部の圧力室３の電極５に対する電圧の印加のタイミングをＢにより示し、左右の圧力室３の電極５に対する電圧の印加のタイミングをＡにより示し、中央部の圧力室３負圧（中心線より下側のカーブ）及び正圧（中心線より上側のカーブ）の変化をＢ’に示す。通常は、図３（ａ）に示すように、インク吐出口８においてインクは表面張力により凹状の形状に維持される。中央の圧力室３の電極５には、トランジスタＱ１をＬ、トランジスタＱ２をＨとすることにより電圧が徐々に高められる経過ａをもってＶ１なる第一の電圧パルスが印加される。これにより、中央の圧力室３はその両側の側壁４が外側に歪むために容積が増大されて負圧となり、これにより、中央の圧力室３にインク供給部のインクが吸い込まれ、図３（ｂ）に示すように、インク吐出口８においてインクも内方に吸引される。この時、中央の圧力室３の容積が徐々に増大されるために左右の圧力室３は徐々に圧縮される。したがって、左右の圧力室３からインクが飛翔することはない。続いて、トラジスタＱ１をＨ、トランジスタＱ２をＬにすると中央の圧力室３の電極５への第一の電圧パルスの給電が瞬時に遮断されるため、中央の圧力室３は急速に定常時の容積に変化する。これにより、中央の圧力室３の圧力が高められ、図３（ｃ）に示すように、内部のインクがインク吐出口８から飛翔し始まる。この瞬間に中央の圧力室３の両側に位置する電極５に第二の電圧パルスを印加する。すなわち、トランジスタＱ１’をＬとし、トランジスタＱ３’をＨとすると、Ｖ２なる第二の電圧パルスが両側の圧力室３の電極５に印加され、中央の圧力室３の両側に位置する側壁４が内側に歪み、左右の圧力室３の容積が急激に増大され、中央の圧力室３はその容積が急激に減少されて内圧が高められる。これにより、図３（ｄ）（ｅ）に示すように、中央の圧力室３のインク吐出口８からのインクの飛翔動作が促進される。この時に、左右の圧力室３の電極５には図２のＡに示すように、ｂ−ｃ−ｄなる一定長さの期間をもって印加されるため、インクの吐出に伴う圧力室３の圧力の減衰速度が遅くなリ、インク滴９の尾部側の飛翔速度の減衰が緩和される。また、トランジスタＱ１’をＨ、トランジスタＱ３’をＬにすると、図２におけるｄの時点で電極５への第二の電圧パルスが瞬時に遮断され、圧力室３の圧力が急激に低下するため、図３（ｅ）に示すようにインク滴９の尾部の長さが短くなり、図３（ｆ）に示すように、急激に圧力が低下した圧力室３のインクに対してインク滴９の尾部が速やかに分離される。したがって、インク滴９の飛翔方向を一定にすることが可能となる。図２におけるｅの時点では１画素単位のインクの飛翔動作が終わる。」（【００１１】参照。）
（５）「上述したように、側壁４を間にして対向する対の電極５に同一極性の第一の電圧パルスと第二の電圧パルスとが交互に印加されるため、圧力室３を仕切る側壁４を定常状態から両側に歪ませて圧力室３の圧力変化量を大きくすることができる。これにより、インクの吐出特性を向上させることができる。」（【００１２】参照。）
（６）「また、第一の電圧パルスにより特定の圧力室３の容積を増大させてインクを吸い込ませ、第二の電圧パルスによりその圧力室３を縮小させて高まる内圧によりインクを吐出させるが、第二の電圧パルスを瞬時に遮断することにより、圧力室３の容積が圧縮された状態から急激に定常時の容積に回復するため、この過程で発生する負圧により飛翔するインク滴９の尾部を分離することができ、これにより、飛翔するインク滴９にサテライトドットが発生することを防止することができる。」（【００１３】参照。）
（７）「さらに、インクを飛翔させる圧力室３の電極５にはインク吐出口８からインク滴が分離される時点では既に第二の電圧パルスが印加されないので、そのインク吐出口８のメニスカスを早期に安定させて印字の高速化を図ることができる。」（【００１４】参照。）
（８）「さらに、電極５には常に一方の極性の第一の電圧パルス又は第二の電圧パルスが印加されるため電源の極性を変換することがなく、これにより、電源回路を簡略化することができる。」（【００１５】参照。）
　
２．引用刊行物に記載の発明の認定
　前記記載事項（４）及び【図２】より、圧力室３の容積は負圧及び正圧の働かない状態（以下、「定常状態」という。）から始まって定常状態まで戻ることが明らかである。
　したがって、前記各記載事項を含む引用刊行物の全記載及び図示によれば、引用刊行物には、下記の発明（以下、「引用発明」という。）が記載されていると認められる。
　「一端にインク吐出口を有してインク供給部に接続された複数の圧力室を設け、基板１の一面には圧電セラミックからなるピエゾ素子で板厚方向に分極された電歪部材２が接合され、これらの基板１と電歪部材２とには複数の圧力室３と複数の側壁４とが交互に配列されて形成され、個々の圧力室３の両側（側壁４）には断面がコの字形の電極５が形成されているインクジェットプリンタヘッドにおいて、対をなす一方の前記電極であるインクを飛翔させる圧力室３の電極５に電圧を徐々に高めながら一方の極性の第一の電圧パルスを一定時間印加することにより前記電歪部材を歪ませて特定の圧力室の容積を定常状態から増大させ、その後に前記第一の電圧パルスを瞬時に遮断し定常状態にして圧力室３の圧力を高め、この第一の電圧パルスの遮断時に対をなす他方の前記電極である圧力室３を仕切る側壁４を間にして対向する他方の電極５に一方の極性の第二の電圧パルスを一定時間印加することにより前記電歪部材を逆方向に歪ませて特定の前記圧力室の容積を定常状態から縮小させて圧力室３の容積を急激に減少させて内圧を高め、その後に前記第二の電圧パルスを瞬時に遮断して圧力室３の圧力を急激に低下させて定常状態にしたことを特徴とするインクジェットプリンタヘッドの駆動方法。」
　
３．本願発明と引用発明との一致点及び相違点の認定
　圧電セラミックからなるピエゾ素子である電歪部材と圧電素子は同義であるから、引用発明の「圧電セラミックからなるピエゾ素子で板厚方向に分極された電歪部材２」は、本願発明の「分極された圧電素子」に相当する。
　引用発明の「複数の側壁４」と「複数の圧力室３」は基板１と電歪部材２に交互に配列されて形成されているから、それぞれ本願発明の分極された圧電素子で少なくとも一部が形成された「複数の隔壁」と、それら隔壁によって仕切られた「複数のインク室」に相当する。
　引用発明の「電極５」は対をなしているので、本願発明の「第１電極及び第２電極」に相当する。
　引用発明が駆動電源を有していることは、前記記載事項（３）及び（８）より明らかであると共に、前記記載事項（４）及び【図２】より、中央部の圧力室３は負圧状態となること、すなわち、圧力波が発生することが明らかであるから、引用発明の「対をなす一方の前記電極であるインクを飛翔させる圧力室３の電極５に電圧を徐々に高めながら一方の極性の第一の電圧パルスを一定時間印加することにより前記電歪部材を歪ませて特定の圧力室の容積を増大させた」は、本願発明の「前記駆動電源から前記インク室の両側の隔壁の前記第１電極に、前記インク室の容積が増大状態に変化させられる方向の電圧を印加して、その両側の隔壁を互いに反対方向に変形させ、前記インク室内に圧力波を発生させる第一ステップ」に相当する。
　前記記載事項（４）及び【図２】より、中央部の圧力室３の電極５に対する電圧の遮断のタイミングに圧力室３内の圧力は正圧でも負圧でもないことから、引用発明の「第一の電圧パルスを瞬時に遮断し」は、本願発明の「前記第１電極への駆動電源からの電圧の印加を停止して、前記隔壁を変形状態から復帰させて前記インク室の容積を増大状態から変化させる第二ステップ」に相当する。
　前記記載事項（３）及び（４）より、引用発明の「他方の電極５に一方の極性の第二の電圧パルス」の一方の極性は、第一の電圧パルスと同じ極性であることが明らかであるから、引用発明の「この第一の電圧パルスの遮断時に対をなす他方の前記電極である圧力室３を仕切る側壁４を間にして対向する他方の電極５に一方の極性の第二の電圧パルスを一定時間印加することにより前記電歪部材を逆方向歪ませて特定の前記圧力室の容積を縮小させた」は、本願発明の「前記第二ステップとほぼ連続して、前記インク室の両側の隔壁の第２電極に、前記第一ステップで第１電極に印加した電圧と同じ極性で、前記インク室の容積が減少状態に変化させられる方向の電圧を前記駆動電源から印加し、前記両隔壁を前記第一ステップとは反対向きに変形させる第三ステップ」に相当する。
　前記記載事項（４）及び【図２】より、中央部の圧力室３の電極５に対する電圧の遮断のタイミングに圧力室３内の圧力は正圧から正圧でも負圧でもない状態に変化することから、引用発明の「前記第二の電圧パルスを瞬時に遮断する」は、本願発明の「前記第三ステップでの前記第２電極への駆動電源からの電圧の印加を停止して、前記隔壁を復帰させて前記インク室の容積を減少状態から変化させる第四ステップ」に相当する。
　引用発明の「インクジェットプリンタヘッドの駆動方法」は、本願発明の「インク噴射装置の駆動方法」に相当することは明らかである。
　したがって、本願発明と引用発明を対比すると、両者は、
　「分極された圧電素子で少なくとも一部が形成された複数の隔壁と、それら隔壁によって仕切られた複数のインク室と、前記隔壁の両側に設けられ、電圧が印加されてその隔壁を変形させる電界を発生させる第１電極および第２電極と、前記電極に電圧を印加するための駆動電源とを含むインク噴射装置の駆動方法であって、前記駆動電源から前記インク室の両側の隔壁の前記第１電極に、前記インク室の容積が増大状態に変化させられる方向の電圧を印加して、その両側の隔壁を互いに反対方向に変形させ、前記インク室内に圧力波を発生させる第一ステップと、前記第１電極への駆動電源からの電圧の印加を停止して、前記隔壁を変形状態から復帰させて前記インク室の容積を増大状態から変化させる第二ステップと、前記第二ステップとほぼ連続して、前記インク室の両側の隔壁の第２電極に、前記第一ステップで第１電極に印加した電圧と同じ極性で、前記インク室の容積が減少状態に変化させられる方向の電圧を前記駆動電源から印加し、前記両隔壁を前記第一ステップとは反対向きに変形させる第三ステップと、前記第三ステップでの前記第２電極への駆動電源からの電圧の印加を停止して、前記隔壁を復帰させて前記インク室の容積を減少状態から変化させる第四ステップとを含むことを特徴とするインク噴射装置の駆動方法。」
である点で一致し、以下の点で相違する。
（１）相違点１
　インク室の容積の状態が、本願発明では、自然状態から増大状態へ（第一ステップ）、増大状態から自然状態へ（第二ステップ）、自然状態から減少状態へ（第三ステップ）、減少状態から自然状態へ（第四ステップ）と変化させているのに対し、引用発明では、定常状態から増大させ、その後、定常状態にし、定常状態から縮小させ、その後、定常状態へと変化させている点。
（２）相違点２
　第二ステップの開始時点が、本願発明では、第一ステップ開始から前記圧力波が前記インク室のインク供給口とインク吐出口との間を片道伝播する時間の０．５〜１．５倍の時間が経過した時、であるのに対し、引用発明では、その点明らかでない点。
（３）相違点３
　第三ステップが、本願発明では、前記インク室内に発生させた圧力と前記圧力波とを加算させるものであるのに対し、引用発明では、圧力室３の容積を急激に減少させて内圧を高めるものである点。
（４）相違点４
　第四ステップの開始時点が、本願発明では、前記圧力波が前記片道伝播する時間の２〜２．２５倍の時間が経過した時であるのに対し、引用発明ではその点が明らかでない点。
（５）相違点５
　第四ステップが、本願発明では、前記インク室内に発生させた圧力で前記圧力波を打ち消すものであるのに対し、引用発明では、圧力室３の圧力を急激に低下させて定常状態にするものである点。
　
４．相違点についての判断
（１）相違点１について
　本願発明では「自然状態」と限定されているが、特許請求の範囲の請求項１の記載からは何を以て自然状態とするかは定かでない。また、圧電素子を用いたインク噴射装置にあっては、印字信号の有無に拘わらず、常にインク室を縮小状態（加圧状態）もしくは増大状態（負圧状態）にしておく場合が普通にある。そこで、「自然状態」の定義について本願の出願当初明細書を参酌すると、「図４に示すように各インク室４には電圧が印加されておらず、隔壁６も変形していない。インク室４が自然状態にあるのである。」（【００４６】参照。）とあり、インク室に電圧が印加されない、すなわち、加圧状態でも負圧状態でもない状態を自然状態と指すことがわかる。そうすると、このことはまさしく、引用発明の定常状態に相当することが明らかであるから、相違点１は実質的相違点ではない。
（２）相違点３について
　本願発明の「加算」の定義について検討する。一般に、圧力を加算（もしくは圧力波を加算）するとは、圧力（圧力波）の正負を問わず加算（合成）することを意味するが、特許請求の範囲の請求項１には「打ち消す」という表現も用いている。そうすると、「加算」の意味は、圧力の正負が同じ圧力波同士を合成することを意味していることに他ならない。
　そこで、引用発明についてみるに、前記記載事項（４）より、第一の電圧パルスを瞬時に遮断し定常状態にすると、インク吐出口８からインクの飛翔が始まり、この瞬間に、第二の電圧パルスを印加し圧力室３の容積が急激に減少されると飛翔動作が促進されることから、引用発明における第二の駆動パルスの印加により発生する圧力（圧力室内のインク中には圧力波として伝播するものであることは明らか）は、第一の駆動パルスの印加・遮断により発生するインクの飛翔のための圧力に加算されているものと認めうる。そうすると、相違点３に係る本願発明の構成は、実質的に引用発明に記載されているものであるから、相違点３は実質的相違点ではない。
（３）相違点２について
　本願発明のインク室の構造について、両端が開放されたものであるのか、一端のみが開放されたものであるのかの限定はない。
［両端が開放されたインク室の場合について］
　インクジェット記録装置の駆動原理及び波動（振動）の原理に基づいて検討する。インク室の両側の隔壁が互いに離れる方向の電圧を印加すると、インク室の容積が増加し、インク室内に負の圧力が発生する。すると、負の圧力を有するインク室内にインク容器等からインクが供給される。圧力波がインク室のインク供給口とインク吐出口との間を片道伝播する時間（以下、「片道伝播時間」という。）が経過した時には、インク室内の圧力は正に転じる。このタイミングに第１電極への駆動電源からの電圧の印加を停止して、隔壁を変形状態から復帰させてインク室の容積を増大状態から自然状態に変化させ、連続して、インク室の両側の隔壁の第２電極に第一ステップで第１電極に印加した電圧と同じ極性でインク室の容積が自然状態から減少状態に変化させられる方向の電圧を駆動電源から印加し、両隔壁を第一ステップとは反対向きに変形させて、インク室内に発生させた圧力と圧力波とを加算させることは理解できる。
　また、駆動電源からの電圧の印加のタイミング、インク室の両側の隔壁の変化の開始及び圧力波の発生との間に若干の時間のずれが生じ得ることから、第１電極への駆動電源からの電圧の印加の停止時が片道伝播時間より若干前後することは許容されよう。さらに、第一ステップから第二ステップの実行時が片道伝播時間よりある程度前後したとしても、第一ステップによるインク室の容積の増大に伴うインクの増加及び第二ステップによるインク室の容積の減少により増加したインクに圧力が印加されることを考慮すれば、片道伝播時間の０．５〜１．５倍の時間が経過した時という限定でも、インク室内に発生させた圧力と圧力波とを加算させることは理解できる。
［一端のみが開放されたインク室の場合について］
　この場合、少なくとも開口端に腹、閉端に節のある定常波が発生する（両端が開放されたインク室における振動は、両開口端に腹、インク室中に節のある定常波が発生する）とともに、インク室の長さをＬ，インク中の音速をａとすると、基本振動の場合、一端のみが開放されたインク室の基本振動における波長は４Ｌ，振動数はａ／４Ｌであるのに対して、両端が開放されたインク室の波長は２Ｌ，振動数はａ／２Ｌとなる。そうすると、両端が開放されたインク室の場合と一端のみが開放されたインク室の場合とでは、圧力波の波形が異なるばかりか、圧力波の振動数（振動周期）が異なることも明らかであるから、一端のみが開放されたインク室の圧力の状態は両端が開放されたインク室の場合と同様に理解することはできない。少なくとも、第一ステップによるインク室の容積の増大に伴うインクの増加及び第二ステップによるインク室の容積の減少により増加したインクに圧力が印加されることを考慮すれば、インクが噴射されることは理解できたとしても、インク室中の圧力の状態、つまり、インク室内に発生させた圧力と圧力波とを加算させ得るか否かは定かでなく、前記「両端が開放されたインク室の場合」と同様でない。
　そうすると、インク室が「両端が開放されたインク室の場合」か「一端のみが開放されたインク室の場合」かのインク室の構造の特定がない故に、一端のみが開放されたインク室を包含する相違点２に係る本願発明の構成は、総体として技術的に意味の無い限定であるといわざるを得ない。
　他方、インク噴射装置の駆動方法において吐出効率を高めるべく駆動しようと工夫することは、当業者であれば常に考慮していることである。その際に、駆動電圧の印加・停止タイミングを設定することは当業者が適宜採用する設計事項であるから、相違点２に係る本願発明の構成をなすことは設計事項というべきであって、当業者が容易に想到し得るものである。
（４）相違点５について
　引用発明についてみるに、前記記載事項（４）及び（７）より、一定長さの期間の第二の電圧パルスを遮断することにより、メニスカスを早期に安定させることができるとしていることから、引用発明における第二の電圧パルスの遮断によりインク室内の圧力波を打ち消しているものと認めうる。そうすると、相違点５に係る本願発明の構成は、実質的に引用発明に記載されているものであるから、相違点５は実質的相違点ではない。
（５）相違点４について
　前記「（３）相違点２について」と同様に両端が開放されたインク室の場合と一端のみが開放されたインク室の場合に分けて検討する。
［両端が開放されたインク室の場合について］
　第三ステップでインク室の容積を減少させた後、片道伝播時間の２倍の時間が経過した時には、インク室内の圧力は、正圧→負圧→正圧という具合に圧力変化を経る。このとき第四ステップを実行してインク室の容積を減少状態から自然状態に戻すと、インク室内に負の圧力が発生し、インク室の正の圧力は打ち消されることは理解できる。
　また、駆動電源からの電圧の印加のタイミング、インク室の両側の隔壁の変化の開始及び圧力波の発生との間に若干の時間のずれが生じ得ることから、第四ステップの開始時が第三ステップから片道伝播時間の二倍より若干長くなることは許容されよう。
［一端のみが開放されたインク室の場合について］
　前記「（３）相違点２について」で検討したように、第三ステップでのインク室中の圧力の状態は前記「両端が開放されたインク室」と同様でない。
　そうすると、前記「（３）相違点２について」と同様にインク室の構造が特定されていないが故に、一端のみが開放されたインク室を包含する相違点４に係る本願発明の構成は、総体として技術的に意味の無い限定であるといわざるを得ない。
　他方、インク噴射装置の駆動方法において残留圧力振動を打ち消すべく駆動しようと工夫することは、当業者であれば常に考慮していることである。その際に、駆動電圧の印加・停止タイミングを設定することは当業者が適宜採用する設計事項であるから、相違点４に係る本願発明の構成をなすことは設計事項というべきであって、当業者が容易に想到し得るものである。
　
５．本願発明の進歩性の判断
　前記各相違点は実質的な相違点ではないか設計事項であり、本願発明の構成を採用することは、当業者にとって容易に想到し得るものであり、これら構成を併せて採用したことによる格別の作用効果を認めることができない。
　したがって、本願発明は、引用発明に基づいて当業者が容易に発明をすることができたものであるから、特許法２９条２項の規定により特許を受けることができない。
　
第４　むすび
　以上のとおり、本願発明は特許を受けることができない以上、本願のその余の請求項に係る発明について検討するまでもなく、本願は拒絶すべきものである。
　よって、結論のとおり審決する。